(57)【要約】【課題】タッチパネルを備えた入力装置を有し、出力を制御する出力装置において、使用者の安全性を考慮した出力操作が行える出力装置を提供する。【解決手段】音量値を示す音量バー表示を行う表示部と、前記表示部上に積層され、音量値を調節する際に行う操作を入力値として取得する入力部と、音量値に従い放音する出力部と、音量バー領域を少なくとも第１の領域と第２の領域とに分けるための閾値、及び、前記第１の領域と前記第２の領域とにそれぞれ対応して、音量を連続的に変化させる際の音量変化速度値を保存する記憶部と、前記入力部で取得した入力値から操作された音量バー領域を判定し、判定された領域に対応付けられて前記記憶部に保存された音量変化速度値で前記表示部の音量バー表示および前記出力部の放音を制御する制御部と、を備える。【選択図】図１
2011086222.tif 000002
【特許請求の範囲】
【請求項１】
音量値を示す音量バー表示を行う表示部と、
前記表示部上に積層され、音量値を調節する際に行う操作を入力値として取得する入力部と、
前記入力部で調節された音量値に従い放音する出力部と、
音量バー領域を少なくとも第１の領域と第２の領域とに分けるための閾値、及び、前記第１の領域と前記第２の領域とにそれぞれ対応して、音量を連続的に変化させる際の音量変化速度値を保存する記憶部と、
前記入力部で取得した入力値から操作された音量バー領域を判定し、判定された領域に対応付けられて前記記憶部に保存された音量変化速度値で前記表示部の音量バー表示および前記出力部の放音を制御する制御部と、
を備えることを特徴とする出力制御装置。
【請求項２】
請求項１の出力制御装置で、さらに、使用者の入力値の頻度を検出する頻度演算部を備え、
前記制御部は、前記頻度演算部で決定された値を前記閾値として音量バー領域の判定を行うことを特徴とする出力制御装置。
【請求項３】
請求項１の出力制御装置で、さらに、イヤホンの挿抜を検出するための検出部を備え、
前記制御部は、前記検出部で検出したイヤホンの挿抜状態に応じた値を前記閾値として音量バー領域の判定を行うことを特徴とする出力制御装置。
【請求項４】
請求項１の出力制御装置で、さらに、前記入力部から入力される音量制御操作が、音量上昇操作か音量減少操作か否かを判断する入力方向判定部を備え、
前記制御部は、入力方向判定部で判定された音量操作方向に応じた値を前記閾値として音量バー領域の判定を行うことを特徴とする出力制御装置。
【請求項５】
請求項１の出力制御装置で、さらに、現在の音量値と最大音量値との差分値を元に閾値を計算する計算部を備え、
前記制御部は、前記計算部で計算された値を前記閾値として音量バー領域の判定を行うことを特徴とする出力制御装置。
【発明の詳細な説明】
【技術分野】
【０００１】
本発明は、出力制御装置に関し、特に、タッチパネルを有する出力制御装置に関する。
【背景技術】
【０００２】
一般によく知られている、PDAや携帯電話等の音出力可能な装置において、音量を制御するユーザインターフェースの一つとして、タッチパネルを利用し、使用者が操作領域に直接触れて音量を制御する方法が知られている。
【０００３】
特許文献１には、タッチパネルに対して、連続的に物体(例えば、使用者の指)が接触したことを検知し、音量を操作するユーザインタフェースが開示されている。
【先行技術文献】
【特許文献】
【０００４】
【特許文献１】特開２００８−４８１０５号公報
【発明の概要】
【発明が解決しようとする課題】
【０００５】
しかしながら、近年、PDAや携帯電話は、小型・軽量化が進められているため、タッチパネルを使用し、端末を操作する接触領域は、小さくなってきている。このような状況で、使用者が、音量バー表示がされている接触領域で音量制御する時、使用者の意図しない音量制御点を検出する可能性が高い。この場合、過大音量が発生し使用者の耳に障害を与える可能性がある。
【０００６】
本発明は、以上の問題点を鑑みてなされたものであり、音量制御において、過大音量の発生による使用者の耳に障害を与える可能性を低減することのできる出力制御装置を提供することを目的とする。
【課題を解決するための手段】
【０００７】
本発明の出力制御装置は、音量値を示す音量バー表示を行う表示部と、前記表示部上に積層され、音量値を調節する際に行う操作を入力値として取得する入力部と、前記入力部で調節された音量値に従い放音する出力部と、音量バー領域を少なくとも第１の領域と第２の領域とに分けるための閾値、及び、前記第１の領域と前記第２の領域とにそれぞれ対応して、音量を連続的に変化させる際の音量変化速度値を保存する記憶部と、前記入力部で取得した入力値から操作された音量バー領域を判定し、判定された領域に対応付けられて前記記憶部に保存された音量変化速度値で前記表示部の音量バー表示および前記出力部の放音を制御する制御部と、を備えた構成を有する。
【０００８】
この構成より、使用者がタッチパネルを用いて音量を調節する際に、意図しない過大音量に対応する入力値が発生した場合、入力値に対応する音量に到達する前に、使用者が音量バーを使用して操作し音量を下げることが可能になり、使用者の耳に障害を与える可能性を低下させることができる。
【０００９】
また、本発明の出力制御装置は、さらに、使用者の入力値の頻度を検出する頻度演算部を備え、  前記制御部は、前記頻度演算部で決定された値を前記閾値として音量バー領域の判定を行う構成を有する。
【００１０】
この構成により、予め閾値を設定することなく、最適な閾値が自動的に決定されるため、操作時間を短縮でき、使用者に合った閾値を決定することができる。
【００１１】
また、本発明の出力制御装置は、さらに、イヤホンの挿抜を検出するための検出部を備え、前記制御部は、前記検出部で検出したイヤホンの挿抜状態に応じた値を前記閾値として音量バー領域の判定を行う構成を有する。
【００１２】
この構成により、スピーカ接続とイヤホン接続、それぞれに対応する閾値を自動的に決定できるため、操作時間を短縮でき使用シーンに応じた最適な閾値を選択できる。
【００１３】
また、本発明の出力制御装置は、さらに、前記入力部から入力される音量制御操作が、音量上昇操作か音量減少操作か否かを判断する入力方向判定部を備え、前記制御部は、入力方向判定部で判定された音量操作方向に応じた値を前記閾値として音量バー領域の判定を行う構成を有する。
【００１４】
この構成により、予め閾値を設定することなく、最適な閾値が自動的に決定されるため、操作時間を短縮でき、使用者に合った閾値を決定することができる。
【００１５】
本発明の出力制御装置は、さらに、現在の音量値と最大音量値との差分値を元に閾値を計算する計算部を備え、前記制御部は、前記計算部で計算された値を前記閾値として音量バー領域の判定を行う構成を有する。
【００１６】
この構成により、予め閾値を設定することなく、最適な閾値が自動的に決定されるため、操作時間を短縮でき、使用者に合った閾値を決定することができる。
【発明の効果】
【００１７】
本発明の出力制御装置によれば、音量制御において、過大音量の発生による使用者の耳に障害を与える可能性を低減することができる。
【図面の簡単な説明】
【００１８】
【図１】本発明の実施の形態１における出力制御装置の構成を示すブロック図
【図２】本発明の実施の形態１における出力制御装置の動作を説明するフローチャート
【図３】本発明の実施の形態１における出力制御装置の表示例示す図
【図４】本発明の実施の形態１における音量変化速度、音量バー変化速度のグラフ図
【図５】本発明の実施の形態１における出力制御装置の動作を模式的に示す図
【図６】本発明の実施の形態２における出力制御装置の構成を示すブロック図
【図７】本発明の実施の形態２における出力制御装置の動作を説明するフローチャート
【図８】本発明の実施の形態２における閾値の変化を示すグラフ図
【図９】本発明の実施の形態３における出力制御装置の構成を示すブロック図
【図１０】本発明の実施の形態３における出力制御装置の動作を説明するフローチャート
【図１１】本発明の実施の形態４における出力制御装置の構成を示すブロック図
【図１２】本発明の実施の形態４における出力制御装置の動作を説明するフローチャート
【図１３】本発明の実施の形態４における音量変化速度、音量バー変化速度のグラフ図
【図１４】本発明の実施の形態５における出力制御装置の構成を示すブロック図
【図１５】本発明の実施の形態５における出力制御装置の動作を説明するフローチャート
【発明を実施するための形態】
【００１９】
以下本発明の実施の形態について、図面を参照しながら説明する。  なお、各実施の形態において、本発明の出力制御装置は携帯電話に組み込まれているものとして説明するが、ＰＤＡなど、他の機器に構成されるものであってももちろん構わない。
【００２０】
（実施の形態１)
図１は、本発明の実施の形態１における出力制御装置の構成を示すブロック図である。
【００２１】
本発明の実施の形態１における出力制御装置１は、制御部２、表示部３、入力部４、記憶部５、および出力部６から構成されている。
【００２２】
制御部２は、表示部３、入力部４、記憶部５、および出力部６を制御し、音量変化速度値に応じた音量値の表示制御や、鳴動させる音量値制御を行う。
【００２３】
表示部３は、ＬＣＤなどの表示デバイスであり、使用者が現在出力されている音量を認識することができるよう、音量バーによる表示を行う。
【００２４】
入力部４は、表示部３上に積層された抵抗膜式、静電容量式などのタッチパネルであり、使用者が音量を調節する際に、表示部３に表示された音量バーを操作した入力値を取得する。
【００２５】
記憶部５は、音量バーを通常音量領域と過大音量領域とに分けるための閾値、及び、閾値で分けられた領域毎に入力前の音量制御値から入力された音量制御値まで連続的に変化させる音量変化速度値を保存する。
【００２６】
出力部６は、音楽や音声などを放音するスピーカであり、音量変化速度値に応じた音量にて鳴動する。
【００２７】
図２は、本発明の実施の形態１における出力制御装置１の動作を説明するフローチャートである。
【００２８】
まず、表示部３は、現状の音量をバーの長さで表示する(ステップS１)。
【００２９】
次に、入力部４は、音量バーが表示されている状態で、使用者による音量を調節する際の入力操作があったか否かを判定する（ステップ２）。
【００３０】
ここで、入力部４が入力操作を受け付けた場合（ステップＳ２、Ｙｅｓ）、記憶部５から音量バーの領域を通常音量領域と過大音量領域に分けるための閾値を読み出す（ステップＳ３）。
【００３１】
次に、制御部２は、入力部４から入力された入力値が、過大音量領域通常音量領域であるかを判定する（ステップＳ４）。
【００３２】
ここで、入力値が通常音量領域である場合（ステップＳ４、Ｙｅｓ）、制御部２は、入力位置に対応する音出力値と音量バー表示位置を出力する（ステップＳ１０）。次に、出力部６は、音量出力値に従い音出力する（ステップＳ１１）。次に、表示部３は、音量バー表示位置に従い音量バーを表示する  （ステップＳ１２）。
【００３３】
一方、入力値が通常音量領域でなく、過大音量領域であった場合（ステップＳ４、Ｎｏ）、制御部２は、記憶部５に保存されている音量変化速度値に従い、音量出力値と音量バー表示位置を一定値加算(例えば、音量が0.01dB上昇する値を加算)し出力する（ステップＳ５）。次に、出力部６は、加算された音量出力値に従い音出力する（ステップＳ６）。次に、表示部３は、加算された音量バー表示位置に従い音量バーを表示する  （ステップＳ７）。次に、制御部２は、音量出力値が、入力値に対応する音量出力値に到達しているかを判定する(ステップＳ８)。
【００３４】
ここで、音量出力値が、入力値に対応する出力値に到達していない場合（ステップＳ８、Ｙｅｓ）、制御部１は、一定時間経過（例えば、100ms経過）させ、(ステップＳ９)、ステップＳ５から処理を再実施する。
【００３５】
一方、音量出力値が、入力値に対応する音量出力値に到達している場合（ステップＳ８、Ｎｏ）、処理を終了する。
【００３６】
図３は、本発明の実施形態の出力制御装置１における表示部３の表示例を示す図である。
【００３７】
本発明の出力制御装置１が備えられた携帯電話７には、表示部３および入力部４に対応する、液晶かつタッチパネル装置８が搭載されている。液晶かつタッチパネル装置８上には、音量操作バー領域９が備わっている。音量操作バー領域９は、閾値１０により、領域１（通常音量領域）１１と領域２（過大音量領域）１２に分けらている。
【００３８】
図４は、本発明の実施形態１の出力制御装置１における記憶部５に記憶された、閾値１３で分けらた領域１（通常音量領域）と領域２（過大音量領域）のそれぞれの音量変化速度、音量バー変化速度のグラフ図を示す。
【００３９】
入力部４からの入力値が、領域１（通常音量領域）１１に該当する場合は、音量変化速度、音量バー変化速度は大きく、使用者の入力値を検出した際に、即座に入力値に対応する音量、及び、音量バー表示位置に到達する。
【００４０】
入力装置からの入力値が、領域２（過大音量領域）１２に該当する場合は、音量変化速度、音量バー変化速度は小さく、一定時間を経て入力位置に対応する音量、及び、音量バー表示位置に到達する。
【００４１】
図５は、本発明の実施形態１の出力制御装置１の動作を模式的に示す図である。
【００４２】
使用者が、音量上げる際に、閾値１６よりも小さい通常音量領域の入力を検出した際は、検出位置(入力値)１７に対し、音量バーの長さ、および、音量が、即座に追従する様子を示す。
【００４３】
また、使用者が、音量上げる際に、閾値１６よりも大きい過大音量領域の検出位置(入力値)１８を検出した際は、入力値に対応する音量バーの長さと、音量に到達するのに、遅延して追従する様子を示す。
【００４４】
この実施の形態１により、使用者がタッチパネルを用いて音量を調節する際に、意図しない入力値が発生し、過大音量領域であった場合、連続的な音量変化・音量バー変化の変化速度を遅くすることで、入力値に対応する音量に到達する前に、使用者が音量バーを使用して操作し音量を下げることが可能になり、使用者の耳に障害を与える可能性を低下させることが可能となる。
【００４５】
尚、閾値の数は２つ以上でもよく、閾値の数に従い分けられる領域の数、及び、領域毎に対応する音量変化速度値の数は、３以上でもよい。
【００４６】
（実施の形態２）
図６は、本発明の実施の形態２における出力制御装置の構成を示すブロック図である。
【００４７】
本発明の実施の形態２における出力制御装置は、実施の形態１の出力制御装置の構成(図１)に対し、さらに、使用者の操作頻度を記録するために入力値を保存し、最も使用頻度の高い入力値を基準に、一定値を加算し、閾値を決定する頻度演算部１９を備えることを特徴とする。
【００４８】
図７は、本発明の実施の形態２における出力制御装置の動作を説明するフローチャートである。
【００４９】
実施の形態２におけるフローチャートは、実施の形態１の動作を説明するフローチャート（図２）に対し、ステップＳ３の閾値読み出し制御がなくなり、ステップＳ２（入力操作受付）とステップＳ４（検出領域判定）の間に、使用者が入力する毎に入力値を記憶部５に保存する入力値制御（ステップＳ１３）と、頻度演算部１９により、保存された入力値から頻度の高い入力値を取得し、一定値加算して閾値を決定する閾値計算制御（ステップＳ１４）を、新たに備えていることを特徴とする。
【００５０】
図８は、閾値２０が、使用者の音量操作による入力値の頻度で自動的に決定され、閾値が都度変更される様子を模式的に示す。
【００５１】
この実施の形態２により、予め閾値を設定することなく、最適な閾値が自動的に決定されるため、操作時間を短縮でき、使用者に合った閾値が決定されることになる。
【００５２】
（実施の形態３）
図９は、本発明の実施の形態３における出力制御装置の構成を示すブロック図である。
【００５３】
本発明の実施の形態３における出力制御装置は、実施の形態１の出力制御装置の構成(図１)に対し、さらに、イヤホンの挿抜状態により閾値を変化させるための検出部２３を備えることを特徴とする。
【００５４】
図１０は、本発明の実施の形態３における出力制御装置の動作を説明するフローチャートである。
【００５５】
実施の形態３におけるフローチャートは、実施の形態１の動作を説明するフローチャート（図２）とは、別に、検出部２３によるイヤホン挿抜判定処理（ステップＳ１５）を実施する。
【００５６】
ステップＳ１５において、イヤホン挿抜を検出した場合、イヤホン挿入状態であれば、閾値をイヤホン接続時用に変更する。また、イヤホン抜状態であれば、閾値をスピーカ出力用に変更する制御を実施する閾値変更制御（ステップＳ１６）を備えていることを特徴とする。
【００５７】
この実施の形態３により、スピーカ接続と、イヤホン接続が区別し、閾値を変化させることができる。これにより、耳に直接的に影響のあるイヤホン接続時には閾値を低く設定し過大音量領域を大きく取り、スピーカ接続時は、例えば閾値を最高音量と同等の値に設定することで、検出値は、常に通常音量領域となり、使用者の操作に即座に音量が追従するというような、使用シーンに応じて、最適な閾値を自動的に選択できることになる。
【００５８】
（実施の形態４）
図１１は、本発明の実施の形態４における出力制御装置の構成を示すブロック図である。
【００５９】
本発明の実施の形態４における出力制御装置は、実施の形態１の出力制御装置の構成(図１)に対し、さらに、使用者が音量増加方向操作、あるいは、音量減少方向操作のどちらを行っているかを判別するための入力方向判定部２４を備えることを特徴とする。
【００６０】
図１２は、本発明の実施の形態４における出力制御装置の動作を説明するフローチャートである。実施の形態４におけるフローチャートは、実施の形態１の動作を説明するフローチャート（図２）に対し、ステップＳ３の閾値読み出し制御がなくなり、ステップＳ２（入力操作受付）とステップＳ４（検出領域判定）の間に、連続的に入力される入力値から、入力方向を算出する入力方向計算制御（ステップＳ１７）と、算出された入力方向から、音量増加・減少方向用の閾値をそれぞれ選択する閾値選択制御（ステップS１８）を備えることを特徴とする。
【００６１】
図１３は、閾値２６で分けらた領域１（通常音量領域）の音量変化速度、音量バー変化速度２７と、領域２（過大音量領域）の音量増加方向音量変化速度、音量バー変化速度２８と、音量減少方向音量変化速度、音量バー変化速度２９のグラフ図を示す。
【００６２】
入力装置からの検出位置が、領域２（過大音量領域）に該当し、かつ、音量増加方向の場合、音量変化速度、音量バー変化速度２８は、音量変化速度、音量バー変化速度２９より小さく、一定時間を経て検出位置に対応する音量、及び、音量バー表示位置に到達する。
【００６３】
入力装置からの検出位置が、領域２（過大音量領域）に該当し、かつ、音量減少方向の場合、音量変化速度、音量バー変化速度２９は、音量変化速度、音量バー変化速度２８より大きく、すぐに検出位置に対応する音量、及び、音量バー表示位置に到達する。
【００６４】
この実施の形態４により、使用者が音量増加方向に操作しているときには、音量変化速度値・音量バー移動表示速度値を小さく設定でき、音量減少方操作する際は、音量変化速度値・音量バー移動表示速度値を大きく設定することで即座に音量減少が実施できるため、音量減少方向操作時の反応速度低下の煩わしさをなくすことができる。
【００６５】
（実施の形態５）
図１４は、本発明の実施の形態５における出力制御装置の構成を示すブロック図である。
【００６６】
本発明の実施の形態５における出力制御装置は、実施の形態１の出力制御装置の構成(図１)に対し、さらに、入力値と、最高音量値との差分により、閾値を決定するための計算部２５を備えることを特徴とする。
【００６７】
図１５は、本発明の実施の形態５における出力制御装置の動作を説明するフローチャートである。
【００６８】
実施の形態５におけるフローチャートは、実施の形態１の動作を説明するフローチャート（図２）に対し、ステップＳ３の閾値読み出し制御がなくなり、ステップＳ２（入力操作受付）とステップＳ４（検出領域判定）の間に、最大音量値と入力値の差分から、閾値を算出(例えば、(最大音量-入力値)/2＝閾値)する閾値計算制御（ステップＳ１９）を備えることを特徴とする。
【００６９】
この実施の形態５により、予め閾値を設定することなく、最適な閾値が自動的に決定されるため、操作時間を短縮でき、使用者に合った閾値が決定されることになる。
【産業上の利用可能性】
【００７０】
本発明の出力制御装置は、使用者の音量制御時、使用者が意図しない制御点が過大音量領域であった場合、連続的な音量変化・表示変化の変化速度を遅くすることで、入力値に対応する音量に到達する前に、使用者が音量を下げることが可能になり、使用者の耳に障害を与える可能性を低下させることができるため、オータブルオーディオプレイヤーや携帯電話等の種々の音響機器に好適である
【符号の説明】
【００７１】
１    出力制御装置
２    制御部
３    表示部
４    入力部
５    記憶部
６    出力部
７    携帯電話
８    液晶・タッチパネル
９    音量操作バー領域
１０、１３、１６、２０、２６    閾値
１１、２１、２７    領域１(通常音量領域)
１２、２２    領域２(過大音量領域)
１４    変化速度大
１５    変化速度小
１７    入力値（通常音量領域内）
１８    入力値（過大音量領域内）
１９    頻度演算部
２３    検出部
２４    入力方向判定部
２５    計算部
２８    変化速度小（領域２の音量増加方向時）
２９    変化速度大（領域２の音量減少方向時）
【図１】
2011086222.tif 000003
【図２】
2011086222.tif 000004
【図３】
2011086222.tif 000005
【図４】
2011086222.tif 000006
【図５】
2011086222.tif 000007
【図６】
2011086222.tif 000008
【図７】
2011086222.tif 000009
【図８】
2011086222.tif 000010
【図９】
2011086222.tif 000011
【図１０】
2011086222.tif 000012
【図１１】
2011086222.tif 000013
【図１２】
2011086222.tif 000014
【図１３】
2011086222.tif 000015
【図１４】
2011086222.tif 000016
【図１５】
2011086222.tif 000017